(57)【要約】      （修正有）【課題】踏み心地が良く、遮音性能の高いカーペットを提供する。【解決手段】複数のマイクロファイバー５０と、前記マイクロファイバーを保持する基布３０と、低反発ウレタン２０と、前記低反発ウレタンを前記基布とともに挟持する底布４０と、を備え、前記底布が不織布であり、前記底布が、滑り止め手段を有し、前記マイクロファイバーを、４００ｇ／ｍ２の密度で前記基布に保持し、前記マイクロファイバー５０の長さを１８ｍｍ、前記低反発ウレタン２０の厚みを１８ｍｍとしてカーペットを形成する。【選択図】図１
0003179569.tif 000002
【実用新案登録請求の範囲】
【請求項１】
複数のマイクロファイバーと、
前記マイクロファイバーを保持する基布と、
低反発ウレタンと、
前記低反発ウレタンを前記基布とともに挟持する底布と、
を備えたカーペット。
【請求項２】
前記マイクロファイバーの長さが、１０mm〜３０mmであり、
前記低反発ウレタンの厚みが８mm〜３０mmである、
請求項１に記載のカーペット。
【請求項３】
前記底布が、滑り止め手段を有する請求項１または２に記載のカーペット。
【請求項４】
前記マイクロファイバーが、４００ｇ／m2の密度で前記基布に保持されている請求項１から３のいずれか１項に記載のカーペット。
【請求項５】
前記マイクロファイバーの長さが１８mmであり、
前記低反発ウレタンの厚みが１８mmである、
請求項１から４のいずれか１項に記載のカーペット。
【考案の詳細な説明】
【技術分野】
【０００１】
本考案は、カーペットに関し、特に遮音性に優れたカーペットに関する。
【背景技術】
【０００２】
昔から多くの住宅には、カーペットが使用されている。カーペットは、足音や物を落としたときの音を吸収し、物を落としたときの衝撃を吸収して物の破損を防止し、その断熱効果により足下からの冷えを防いでくれる。また、カーペットは、歩行性を良好にしたり、その模様、色合いにより人の心をいやしたりもする。
【０００３】
このようにカーペットは、様々な機能を有しているが、近年のマンション等の普及により、下の階に音を漏らさないため、特に遮音性、防音性を高めたものが開発されてきている。このような遮音性、防音性を高めたカーペットとして特許文献１には、カーペット材の裏面に主として結合弾性体小片からなる緩衝材を積層してなることを特徴とする防音カーペットについて開示されている。
【０００４】
これにより、軽量床衝撃音に対する遮音性能に優れ、かつ重量物載荷時の沈み抵抗性に優れており、温かみ、色彩・模様の多彩さ、高級感のあるカーペットとしてきわめて有用であるとしている。
【先行技術文献】
【特許文献】
【０００５】
【特許文献１】実開平５−６３３８１号公報
【考案の概要】
【考案が解決しようとする課題】
【０００６】
しかしながら、特許文献１に開示された従来のカーペットは、弾性体小片を緩衝材に積層しているので、踏み心地があまり良くなかった。また、遮音性能もそれほど良くなかった。
【０００７】
本考案は、かかる実情に鑑み、踏み心地が良く、かつ、遮音性能も高いカーペットを提供しようとするものである。
【課題を解決するための手段】
【０００８】
上記課題は、下記の考案により解決することができる。
即ち、本考案のカーペットは、複数のマイクロファイバーと、前記マイクロファイバーを保持する基布と、低反発ウレタンと、前記低反発ウレタンを前記基布とともに挟持する底布と、を備えたことを主要な特徴にしている。
【０００９】
また、本考案のカーペットは、前記マイクロファイバーの長さが、１０mm〜３０mmであり、前記低反発ウレタンの厚みが８mm〜３０mmであることを主要な特徴にしている。
【００１０】
更に、本考案のカーペットは、前記底布が、滑り止め手段を有することを主要な特徴にしている。
【００１１】
更にまた、本考案のカーペットは、前記マイクロファイバーが、４００ｇ／m2の密度で前記基布に保持されていることを主要な特徴にしている。
【００１２】
また、本考案のカーペットは、前記マイクロファイバーの長さが１８mmであり、前記低反発ウレタンの厚みが１８mmであることを主要な特徴にしている。
【考案の効果】
【００１３】
本考案によれば、踏み心地が良く、遮音性能の高いカーペットを提供することができる。
【図面の簡単な説明】
【００１４】
【図１】本考案に係るカーペットの断面図である。
【図２】本考案に係るカーペットの底面図である。
【図３】所定の周波数ごとの計量床衝撃音レベル低減量を測定したグラフである。
【考案を実施するための形態】
【００１５】
以下、添付図面に従って本考案の好ましい実施の形態について説明する。本考案は以下の好ましい実施の形態により説明されるが、本考案の範囲を逸脱すること無く、多くの手法により変更を行うことができ、本実施の形態以外の他の実施の形態を利用することができる。従って、本考案の範囲内における全ての変更が特許請求の範囲に含まれる。また、本明細書において「〜」を用いて表される数値範囲は、「〜」の前後に記載される数値を含む範囲を意味する。
【００１６】
＜構成＞
本考案の一実施形態について図面を参照して説明する。図１は、本考案に係るカーペットの断面図である。図１に示すように、カーペット１０は、低反発ウレタン２０と、基布３０と、底布４０と、複数のマイクロファイバー５０とを主に備えて構成される。低反発ウレタン２０は、基布３０と、底布４０とに挟持されている。マイクロファイバー５０は、基布３０に保持されている。
【００１７】
低反発ウレタンとは、低反発弾性フォームとも呼ばれているポリウレタン樹脂を組成としたものであり、軟質ウレタンフォームの一種で，弾性が低く粘性が高いフォームである。圧縮した後に外力を取り除くとゆっくりと元に戻る性質があり、一般のフォームと比較して反発弾性率が約１５％以下（JIS K6400-3）と非常に小さいものである。
【００１８】
低反発ウレタンは、その厚みが８mmから３０mmが好ましく、１８mmが更に好ましい。厚みが８mm未満の場合は、遮音性能が劣るとともに、踏み心地も良好ではない。厚みが３０mmを超えると、足がめり込むので、かえって歩きにくくなるという問題が発生する。厚みが１８mmの時、遮音性を高く保ったまま、踏み心地が最も良好であった。
【００１９】
基布３０に保持されているマイクロファイバー５０は、径がミクロンオーダーの極細繊維であり、毛足の長さは、１０mm〜３０mmが好ましく、１８mmが更に好ましい。１０mm未満の場合は、毛足が短すぎるために踏み心地と触感とが劣り、３０mmより長いと毛足が絡まりやすくなるという問題が発生する。１０mmから３０mmの場合は、踏み心地、触感とも良好であり、毛足が絡まりやすくなるという問題も発生しない。毛足の長さが１８mm時、踏み心地と触感とも最も良好であった。
【００２０】
また、マイクロファイバー５０の密度、即ちマイクロファイバー５０のカーペット１０の単位表面積あたりの重量は、３００〜５００g/m2が好ましいが、４００g/m2が最も好ましい。３００g/m2以下の場合は、触感が少し劣り、５００g/m2以上場合は、コストが高くなりすぎるからである。
【００２１】
次に、図１と図２を参照して説明する。図２は、カーペットの底面図である。底布４０は、カーペット１０を床に敷いたときに、床と接する部分である。底布４０と基布３０とは、低反発ウレタン２０を挟み込んで保持する。底布４０は、様々な素材を採用できるが、不織布が好ましい。
【００２２】
また、底布４０は、滑り止め手段６０を有することが好ましい。滑り止め手段６０を有することにより、カーペット１０が、床上を滑って移動したり、しわが寄ったりすることを防ぐことができる。
【００２３】
滑り止め手段としては、例えば、アクリル系樹脂、ウレタン系樹脂、ゴム系樹脂、シリコンゴム系樹脂などを使用できるが、これらに限定されるものではなく、床に対して摩擦係数の大きいその他の材料を用いても良い。
【００２４】
図２に示すように、滑り止め手段６０は、点状に底布４０表面に配置することができるが、これに限定されるものではなく、線状に配置しても良いし、その他の配置方法を採用しても良い。
【００２５】
＜作動＞
図１、２を参照して、カーペット１０を踏んだとき、毛足の長いマイクロファイバー５０が足の底面に触れ、次に、低反発ウレタン２０が、体重の重みで沈み込む。毛足の長いマイクロファイバー５０は、繊維と繊維の間に空気をたっぷり含むので、ふわふわとした心地良い触感を人に与えることができる。
【００２６】
さらに、マイクロファイバーは、その特徴である大きな吸水性と素早い速乾性により、さらっとした感触を、四季を通じて人に与えることができる。また、低反発ウレタン２０は、その適切な厚みにより心地の良い踏み心地を人に与えることができるとともに、足音を吸収して、特に下の階への騒音を防止することができる。
【００２７】
＜遮音性能評価＞
次に、本考案のカーペットの遮音特性評価について説明する。カーペットは、マイクロファイバーの毛足長が１８mmで密度が４００g/m2、低反発ウレタンの厚みが１８mmのものを使用して評価を行った。
【００２８】
JIS規格に従い、試験環境はカテゴリーI（フローリングなど薄くて柔らかい床材）で、所定の周波数ごとに計量床衝撃音レベル低減量を測定し、ΔＬ等級を求めた。評価結果を図３に示す。図３は、所定の周波数ごとの計量床衝撃音レベル低減量を測定したグラフである。
【００２９】
図３において、横軸は周波数（Ｈｚ）であり、縦軸は、計量床衝撃音レベル低減量（ｄＢ）を示す。図３の記号７０で示すグラフが、本考案のカーペットの評価結果を表すグラフである。図３が示すように、本考案のカーペットは、ΔＬＬ−９（推定Ｌ等級Ｌ２０相当）と、極めて優れた遮音性能を示すことが分かった。
【符号の説明】
【００３０】
１０    カーペット
２０    低反発ウレタン
３０    基布
４０    底布
５０    マイクロファイバー
６０    滑り止め手段
７０    本考案の評価結果
【図１】
0003179569.tif 000003
【図２】
0003179569.tif 000004
【図３】
0003179569.tif 000005